【手続補正書】
【提出日】平成28年2月16日(2016.2.16)
【手続補正１】
【補正対象書類名】特許請求の範囲
【補正対象項目名】全文
【補正方法】変更
【補正の内容】
【特許請求の範囲】
【請求項１】
重合性組成物であって、
（ａ）以下の式（Ｉ）
【化５３】
2015187276.tif 000001
（式中、
Ｌ１は、場合により置換されていてもよい多価ヒドロカルビル基（これは、−Ｃ（Ｏ）−、−Ｓ−、−Ｏ−およびそれらの組み合わせの少なくとも１つで場合により中断されていてもよい）、および以下の式（Ａ）
【化５４】
2015187276.tif 000002
（式中、Ｙは、ＯまたはＳである）によって表される二価連結基から選択され、
Ｌ２は、各ｎについて独立して、場合により置換されていてもよい二価ヒドロカルビル基（これは、−Ｏ−および−Ｓ−の少なくとも１つで場合により中断されていてもよい）であり、
Ｒ１は、各ｎについて独立して、水素およびメチルから選択され、
ｎは２〜６である）によって表される少なくとも１つの第１の（メタ）アクリレート官能性モノマー；
（ｂ）以下の式（ＩＩＩ）
【化６０】
2015187276.tif 000003
（式中、
Ｌ４は、場合により置換されていてもよい多価ヒドロカルビル基（これは、−Ｃ（Ｏ）−、−Ｓ−、−Ｏ−およびそれらの組み合わせの少なくとも１つで場合により中断されていてもよい）であり、
Ｌ５は、各ｕについて独立して、場合により置換されていてもよい二価ヒドロカルビル基であり、
Ｒ９およびＲ１０は、各ｕについてそれぞれ独立して、水素およびメチルから選択され、ｕは２〜６である）によって表される少なくとも１つの第２の（メタ）アクリレート官能性モノマー、
（ｃ）場合により、アルファ−メチルスチレンダイマーを含む重合調整剤；ならびに
（ｄ）場合により、少なくとも１つのモノエチレン性不飽和モノマー
を含む、重合性組成物。
【請求項２】
Ｌ１が、場合により置換されていてもよい直鎖状または分枝状の多価Ｃ１−Ｃ２５アルキル、場合により置換されていてもよい多価Ｃ３−Ｃ１２シクロアルキル、場合により置換されていてもよい多価アリールおよびそれらの組み合わせ（これらは、−Ｃ（Ｏ）−、−Ｓ−、−Ｏ−およびそれらの組み合わせの少なくとも１つで場合により中断されていてもよい）から選択され、
Ｌ２が、各ｎについて独立して、場合により置換されていてもよい直鎖状または分枝状の二価Ｃ１−Ｃ２５アルキル、場合により置換されていてもよい二価Ｃ３−Ｃ１２シクロアルキル、場合により置換されていてもよい二価アリールおよびそれらの組み合わせ（これらは、−Ｏ−および−Ｓ−の少なくとも１つで場合により中断されていてもよい）から選択される、請求項１に記載の重合性組成物。
【請求項３】
Ｌ１が、−Ｃ（Ｏ）−、−Ｓ−、−Ｏ−およびそれらの組み合わせの少なくとも１つで場合により中断されていてもよい直鎖状または分枝状の多価Ｃ１−Ｃ１０アルキルから選択され、
Ｌ２が、各ｎについて独立して、少なくとも１つの−Ｏ−で場合により中断されていてもよい直鎖状または分枝状の二価Ｃ１−Ｃ１０アルキルから選択される、請求項２に記載の重合性組成物。
【請求項４】
Ｌ１が、少なくとも１つの−Ｓ−基で中断された直鎖状または分枝状の多価Ｃ１−Ｃ１０アルキルから選択され、
ｎが２または３である、請求項３に記載の重合性組成物。
【請求項５】
ｎが２であり、
Ｌ１が、以下の式（Ｂ）
【化５５】
2015187276.tif 000004
（式中、
各ｐについてのＲ２は、独立して、場合により置換されていてもよい直鎖状または分枝状のＣ１−Ｃ１０アルキル、および場合により置換されていてもよいＣ３−Ｃ１２シクロアルキルから選択され、
Ｒ３は、場合により置換されていてもよい直鎖状または分枝状のＣ１−Ｃ１０アルキル、および場合により置換されていてもよいＣ３−Ｃ１２シクロアルキルから選択され、
ｐは０〜１０である）によって表される、請求項１に記載の重合性組成物。
【請求項６】
Ｌ２が、以下の式（Ｃ）
【化５６】
2015187276.tif 000005
（式中、
各ｐについてのＲ４は、独立して、場合により置換されていてもよい直鎖状または分枝状のＣ１−Ｃ１０アルキル、および場合により置換されていてもよいＣ３−Ｃ１２シクロアルキルから選択され、
Ｒ５は、場合により置換されていてもよい直鎖状または分枝状のＣ１−Ｃ１０アルキル、および場合により置換されていてもよいＣ３−Ｃ１２シクロアルキルから選択され、
ｑは０〜１０である）によって表される、請求項５に記載の重合性組成物。
【請求項７】
ｎが２であり、
Ｌ１が、
（ｉ）以下の式（Ｄ）
【化５７】
2015187276.tif 000006
（式中、
Ｒ６およびＲ７は、それぞれ独立して、水素、場合により置換されていてもよい直鎖状または分枝状のＣ１−Ｃ１０アルキル、場合により置換されていてもよいＣ３−Ｃ１２シクロアルキル、および場合により置換されていてもよいアリールから選択されるか、またはＲ６およびＲ７は一緒になって、場合により置換されていてもよいＣ４−Ｃ１２シクロアルキルを形成する）によって表される二価連結基、
および
（ｉｉ）式（Ａ）によって表される二価連結基から選択され、
Ｌ２が、以下の式（Ｂ）
【化５８】
2015187276.tif 000007
（式中、
各ｐについてのＲ２は、独立して、場合により置換されていてもよい直鎖状または分枝状のＣ１−Ｃ１０アルキル、および場合により置換されていてもよいＣ３−Ｃ１２シクロアルキルから選択され、
Ｒ３は、場合により置換されていてもよい直鎖状または分枝状のＣ１−Ｃ１０アルキル、および場合により置換されていてもよいＣ３−Ｃ１２シクロアルキルから選択され、
ｐは０〜１０である）によって表される、請求項１に記載の重合性組成物。
【請求項８】
以下の式（ＩＩ）
【化５９】
2015187276.tif 000008
（式中、
Ｌ３は、場合により置換されていてもよい多価ヒドロカルビル基（これは、−Ｃ（Ｏ）−、−Ｓ−、−Ｏ−およびそれらの組み合わせの少なくとも１つで場合により中断されていてもよい）であり、
Ｒ８は、各ｔについて独立して、水素およびメチルから選択され、
ｔは２〜６である）によって表される少なくとも１つのチオ（メタ）アクリレート官能性モノマーをさらに含む、請求項１に記載の重合性組成物。
【請求項９】
Ｌ３が、場合により置換されていてもよい直鎖状または分枝状の多価Ｃ１−Ｃ２５アルキル、場合により置換されていてもよい多価Ｃ３−Ｃ１２シクロアルキル、場合により置換されていてもよい多価アリールおよびそれらの組み合わせ（これらは、−Ｃ（Ｏ）−、−Ｓ−、−Ｏ−およびそれらの組み合わせの少なくとも１つで場合により中断されていてもよい）から選択される、請求項８に記載の重合性組成物。
【請求項１０】
Ｌ４が、場合により置換されていてもよい直鎖状または分枝状の多価Ｃ１−Ｃ２５アルキル、場合により置換されていてもよい多価Ｃ３−Ｃ１２シクロアルキル、場合により置換されていてもよい多価アリールおよびそれらの組み合わせ（これらは、−Ｃ（Ｏ）−、−Ｓ−、−Ｏ−およびそれらの組み合わせの少なくとも１つで場合により中断されていてもよい）から選択され、
Ｌ５が、各ｕについて独立して、場合により置換されていてもよい直鎖状または分枝状の二価Ｃ１−Ｃ２５アルキル、場合により置換されていてもよい二価Ｃ３−Ｃ１２シクロアルキル、場合により置換されていてもよい二価アリールおよびそれらの組み合わせから選択される、請求項１に記載の重合性組成物。
【請求項１１】
熱活性化されるフリーラジカル開始剤をさらに含む、請求項１に記載の重合性組成物。
【請求項１２】
前記フリーラジカル開始剤が、有機ペルオキシ化合物、アゾビス（有機ニトリル）化合物、Ｎ−アシルオキシアミン化合物、Ｏ−イミノ−イソ尿素化合物およびそれらの組み合わせから選択される、請求項１１に記載の重合性組成物。
【請求項１３】
前記フリーラジカル開始剤が、少なくとも１つの有機ペルオキシ化合物から選択される、請求項１２に記載の重合性組成物。
【請求項１４】
前記フリーラジカル開始剤が、２，５−ジメチル−２，５−ジ（２−エチルヘキサノイルペルオキシ）ヘキサンおよび１，１−ビス（ｔｅｒｔ−ブチルペルオキシ）−３，３，５−トリメチルシクロヘキサンの少なくとも１つを含む、請求項１３に記載の重合性組成物。
【請求項１５】
前記フリーラジカル開始剤が、１−アセトキシ−２，２，６，６−テトラメチルピペリジンおよび１，３−ジシクロヘキシル−Ｏ−（Ｎ−シクロヘキシリデンアミノ）−イソ尿素の少なくとも１つから選択される、請求項１２に記載の重合性組成物。
【請求項１６】
重合性組成物であって、
（ａ）以下の式（Ｉ）
【化７３】
2015187276.tif 000009
（式中、
ｎは２であり、
各Ｒ１は、独立して、水素およびメチルから選択され、
Ｌ１は、
（ｉ）以下の式（Ｄ）
【化７４】
2015187276.tif 000010
（式中、Ｒ６およびＲ７は、それぞれ独立して、水素、場合により置換されていてもよい直鎖状または分枝状のＣ１−Ｃ１０アルキル、場合により置換されていてもよいＣ３−Ｃ１２シクロアルキル、および場合により置換されていてもよいアリールから選択されるか、またはＲ６およびＲ７は一緒になって、場合により置換されていてもよいＣ４−Ｃ１２シクロアルキルを形成する）によって表される二価連結基、および
（ｉｉ）以下の式（Ａ）
【化７５】
2015187276.tif 000011
（式中、Ｙは、ＯまたはＳである）によって表される二価連結基、
から選択され、
（ｉｉｉ）Ｌ２は、以下の式（Ｂ）
【化７６】
2015187276.tif 000012
（式中、
各ｐについてのＲ２は、独立して、場合により置換されていてもよい直鎖状または分枝状のＣ１−Ｃ１０アルキル、および場合により置換されていてもよいＣ３−Ｃ１２シクロアルキルから選択され、
Ｒ３は、場合により置換されていてもよい直鎖状または分枝状のＣ１−Ｃ１０アルキル、および場合により置換されていてもよいＣ３−Ｃ１２シクロアルキルから選択され、
ｐは０〜１０である）によって表される）によって表される少なくとも１つの（メタ）アクリレート官能性モノマー；
（ｂ）場合により、アルファ−メチルスチレンダイマーを含む重合調整剤；ならびに
（ｃ）場合により、少なくとも１つのモノエチレン性不飽和モノマー
を含む、重合性組成物。
【請求項１７】
請求項１に記載の重合性組成物の重合物。
【請求項１８】
請求項４に記載の重合性組成物の重合物であって、少なくとも１．５７の屈折率、少なくとも３０のアッベ数、および少なくとも５０のフィッシャー微小硬度を有する、重合物。
【請求項１９】
（ａ）請求項１に記載の重合性組成物の重合物；および
（ｂ）フォトクロミック量の有機フォトクロミック材料
を含む、フォトクロミック製品。
【請求項２０】
請求項１６に記載の重合性組成物の重合物から構成される、光学素子。
【請求項２１】
請求項１に記載の重合性組成物の重合物から構成される、光学素子。
【請求項２２】
偏光子をさらに含む、請求項２０に記載の光学素子。
【請求項２３】
偏光子をさらに含む、請求項２１に記載の光学素子。